(57)【要約】
【課題】　オゾン電動歯ブラシの提供。
【解決手段】　電動歯ブラシのハンドルとブラシヘッド内部に導管を設けてブラシヘッドのブラシ端に接続し、導管の別端をオゾン発生器の巻管に接続し、オゾン発生器内部の空気ポンプを利用し、オゾンをブラシヘッドのブラシ端に導入し、電動歯ブラシを使用する時、その放出するオゾンにより、殺菌、除臭、歯牙漂白及び消炎、解毒の特殊機能を具備させた。
【選択図】　　　　図２
0003100425.tif 000002
【実用新案登録請求の範囲】
【請求項１】
　ハンドル、ブラシヘッド、及びオゾン発生器を具え、ハンドルに電源ボタンが設けられ、ハンドルがオゾン発生器の充電シートに置かれ、ブラシヘッド底端のクイックコネクタがハンドルの管孔内に挿入され、ブラシヘッドの上端に毛が設けられたオゾン電動歯ブラシにおいて、
　ハンドル内部に導管が設けられ、オゾン発生器の管溝内に巻管が収容され、該巻管内部がオゾン発生器内に接続され、巻管の別端がハンドル内に進入して導管と接続され、該導管の上端がブラシヘッド内部の導管に接続され、毛端まで延伸され、オゾン発生器の発生するオゾンが巻管よりハンドル及びブラシヘッドの導管内を通り毛部分に進入し、歯磨きと同時にオゾンを発生して殺菌、除臭、歯牙漂白及び消炎の機能を達成することを特徴とする、オゾン電動歯ブラシ。
【請求項２】
　請求項１記載のオゾン電動歯ブラシにおいて、巻管の一端にクイックコネクタが設けられ、ハンドルに挿入孔が設けられ、該挿入孔に該クイックコネクタが挿入されて巻管とハンドルの導管が接続されることを特徴とする、オゾン電動歯ブラシ。
【請求項３】
　請求項１記載のオゾン電動歯ブラシにおいて、オゾン発生器の巻管がハンドルの導管に接続されない時に気泡体に接続されて水中に置かれることを特徴とする、オゾン電動歯ブラシ。
【請求項４】
　請求項１記載のオゾン電動歯ブラシにおいて、ハンドル内部の導管がハンドル上端の管孔内の嵌め管内に挿入されて位置決めされ、ブラシヘッド内部の導管もハンドルの管孔内の嵌め管内に挿入されて二つの導管が接続されて通路を形成することを特徴とする、オゾン電動歯ブラシ。
【考案の詳細な説明】
【技術分野】
【０００１】
　本考案は一種のオゾン電動歯ブラシに係り、特に、電動歯ブラシを使用すると同時に、オゾン発生器の発生するオゾンにより、殺菌、除臭及び歯牙漂白の効果を達成すると共に、消炎、鎮痛、解毒の機能を具備するようにしたオゾン電動歯ブラシに関する。
【背景技術】
【０００２】
　周知の電動歯ブラシは、歯牙を清潔にし、歯肉を按摩する機能を具備するが、殺菌、除臭、漂白、消炎の機能は具備しない。また、一般に、歯牙に問題が生じる時、人は歯医者に行くが、平時の歯牙の保健は最も重要なことである。
【考案の開示】
【考案が解決しようとする課題】
【０００３】
　本考案は、オゾンを電動歯ブラシ中に導入し、強酸化剤であるオゾン分子の強力な消毒殺菌作用により、歯牙中の細菌、濾過菌等を徹底的に消滅させ、並びに癌を発生させやすい水中の塩素を完全に酸化分解できるオゾン電動歯ブラシを提供するものである。
【０００４】
　即ち、本考案の主要な目的は、一種のオゾン電動歯ブラシを提供することにあり、それは、オゾン発生器の巻管が電動歯ブラシに接続されていない時に単独で空気清浄機として使用可能で、オゾン発生器の排出するオゾンを洗面所の除臭剤として使用できるものとする。
【０００５】
　本考案のもう一つの目的は、一種のオゾン電動歯ブラシを提供することにあり、それはオゾン発生器の巻管を電動歯ブラシに接続しない時に、気泡体に接続して水中に入れることができるものとする。その排出するオゾンにより水中の塩素を酸化分解し、並びに水に酸素を含ませ、水分子を小さくし、人体に迅速に吸収されて血液中の含有量を高めて新陳代謝を強化でき、これによりオゾン水洗顔、入浴時に、殺菌、美白、消毒の機能を具備し、美容、酸素増加、皮膚の活性化の効果を達成できる。
【課題を解決するための手段】
【０００６】
　請求項１の考案は、ハンドル、ブラシヘッド、及びオゾン発生器を具え、ハンドルに電源ボタンが設けられ、ハンドルがオゾン発生器の充電シートに置かれ、ブラシヘッド底端のクイックコネクタがハンドルの管孔内に挿入され、ブラシヘッドの上端に毛が設けられたオゾン電動歯ブラシにおいて、
　ハンドル内部に導管が設けられ、オゾン発生器の管溝内に巻管が収容され、該巻管内部がオゾン発生器内に接続され、巻管の別端がハンドル内に進入して導管と接続され、該導管の上端がブラシヘッド内部の導管に接続され、毛端まで延伸され、オゾン発生器の発生するオゾンが巻管よりハンドル及びブラシヘッドの導管内を通り毛部分に進入し、歯磨きと同時にオゾンを発生して殺菌、除臭、歯牙漂白及び消炎の機能を達成することを特徴とする、オゾン電動歯ブラシとしている。
　請求項２の考案は、請求項１記載のオゾン電動歯ブラシにおいて、巻管の一端にクイックコネクタが設けられ、ハンドルに挿入孔が設けられ、該挿入孔に該クイックコネクタが挿入されて巻管とハンドルの導管が接続されることを特徴とする、オゾン電動歯ブラシとしている。
　請求項３の考案は、請求項１記載のオゾン電動歯ブラシにおいて、オゾン発生器の巻管がハンドルの導管に接続されない時に気泡体に接続されて水中に置かれることを特徴とする、オゾン電動歯ブラシとしている。
　請求項４の考案は、請求項１記載のオゾン電動歯ブラシにおいて、ハンドル内部の導管がハンドル上端の管孔内の嵌め管内に挿入されて位置決めされ、ブラシヘッド内部の導管もハンドルの管孔内の嵌め管内に挿入されて二つの導管が接続されて通路を形成することを特徴とする、オゾン電動歯ブラシとしている。
【考案の効果】
【０００７】
　本考案のオゾン電動歯ブラシは、周知の電動歯ブラシを改良してなる特殊なオゾン電動歯ブラシであり、オゾン発生器の発生するオゾンを利用し、電動歯ブラシによる歯磨きと同時に、殺菌、除臭、歯牙の漂白及び消炎、解毒等の機能を達成し、その実用効果は明らかである。なお、本考案の構造は未公開であり、実用新案登録の要件を具備している。
【考案を実施するための最良の形態】
【０００８】
　本考案の電動歯ブラシは、ハンドル１、ブラシヘッド２を具え、該電動歯ブラシ部分は周知の電動歯ブラシと同じであり、そのハンドル１に電源ボタン１１が設けられ、上端に回転軸１２が設けられ、平時に電動歯ブラシはオゾン発生器３の充電シート３０に置かれ、適時に電動歯ブラシに充電が行われる。ブラシヘッド２の上端には毛２１が植え込まれ、底端にはクイックコネクタ２２が設けられてハンドル１の管孔１３内に挿入され、並びにハンドル１の背面の押しボタン１４によりブラシヘッド２の係止が制御される。オゾン発生器３は周知の製品であり、その内部にはＩＣ制御板、空気ポンプが設けられているが、これは本考案の特徴ではなく、ゆえに図示していない。
【０００９】
　図３も参照されたい。ハンドル１内部には導管１５が設けられ、その上端は管孔１３に設けられた嵌め管１３１に位置決めされ、オゾン発生器３の前縁の管溝３１内に巻管３２が収容されている。該巻管３２内部はオゾン発生器のオゾン排出口に接続され、巻管３２の別端のクイックコネクタ３２１はハンドル１の底端の挿入孔１６内に挿入されている。挿入孔１６の傍らのハンドル１上に、制御用の押しボタン１７が設けられ、巻管３２の係止に供される。空気ポンプ４はオゾン発生器３のオゾンを巻管内に導入してハンドル１の導管１５内に導入する。さらに、ブラシヘッド２の内部にも導管２３が設けられ（図３）、該導管２３の上端が毛２１端に接続され、底端がブラシヘッド２より遠心されてハンドル１上端の管孔１３の側部の嵌め管１３１内に挿入されて、ハンドル１内の導管１５と接続されて通路を形成する。オゾン発生器３の一端にはオゾン電源ボタン３３及びオゾン濃度調整ボタン３４が設けられ、該オゾン濃度調整ボタン３４を利用してオゾン排出濃度を調整できる。
【００１０】
　本考案のオゾン発生器３の巻管３２が平時に電動歯ブラシに接続されていない時、オゾン発生器３の排出するオゾンを利用して空気清浄機として使用することができ、その排出する無色で特殊な青草臭を具えた気体が、洗面所内の除臭剤として使用される。
【００１１】
　図４に示されるように、本考案のオゾン発生器３の巻管３２は電動歯ブラシに接続されない時、気泡体４（或いは気泡石）に接続可能である。該気泡体４は水中に置かれ、オゾンを利用して水中のガンを発生させる塩素を完全に酸化分解し、並びに水中に酸素を含ませて水分子を小さくし、人体に急速に吸収されうるようにし、血液含有量を高め、新陳代謝を強化し、これによりオゾン水洗顔、沐浴時に、殺菌、美白、消毒の作用を提供し、これにより美容、酸素増加、皮膚の活性化の効果を提供する。
【図面の簡単な説明】
【００１２】
【図１】本考案の斜視図である。
【図２】本考案の部分分解斜視図である。
【図３】本考案の電動歯ブラシの断面図である。
【図４】本考案の実施例図である。
【符号の説明】
【００１３】
１　ハンドル　　　　　１１　電源ボタン　　　　１２　回転軸
１３　管孔　　　　　　１３１　嵌め管　　　　　１４　ボタン
１５　導管　　　　　　１６　挿入孔　　　　　　１７　ボタン
２　ブラシヘッド　　　２１　毛　　　　　　　　２２　クイックコネクタ
２３　導管　　　　　　３　オゾン発生器　　　　３０　充電シート
３１　管溝　　　　　　３２　巻管　　　　　　　３２１　クイックコネクタ
３３　電源ボタン　　　３４　オゾン濃度調整ボタン　　４　気泡体
【図１】
0003100425.tif 000003
【図２】
0003100425.tif 000004
【図３】
0003100425.tif 000005
【図４】
0003100425.tif 000006